(57)【要約】【課題】簡単な構造で作られ、比較的小さい紙面積の箱体形成片により差込片を設け、再封と開封を容易に行うことができ、再封した時は確実に封止される包装用箱を提供する。【解決手段】筒体に組み立てられた側面１４，１６，１８，２０と、側面１８に設けられ筒体上方の開口端部を閉鎖する外側上蓋片３２を有する。外側上蓋片３２が設けられた側面１４と平行に位置する側面１８に、外側上蓋片３２の裏面に重ねられる内側上蓋片５０を備える。外側上蓋片３２は、側面１４と接する折罫線３４と反対側の端部が、糊付け部用折曲線３６で区切られて糊付け部３７となる。内側上蓋片５０は、側面１８と接する折罫線５２と反対側が、差込片用折曲線５４で区切られて差込片５６となる。内側上蓋片５０は差込片５６以外の部分が、外側上蓋片３２の糊付け部３７に糊付けされる。内側上蓋片５０が設けられた側面１８に、内側上蓋片５０が設けられた端部を分離する開封用破断線５８を備える。【選択図】図１
2019006473.tif 000002
【特許請求の範囲】
【請求項１】
一枚の箱体形成片から成り、筒体に組み立てられた側面と、前記側面の１つに折罫線で区切られて設けられ前記筒体上方の開口端部を閉鎖する外側上蓋片と、前記外側上蓋片が設けられた前記側面と平行に位置する側面に折罫線で区切られて設けられ前記外側上蓋片の裏面に重ねられる内側上蓋片が設けられ、
前記外側上蓋片は、前記側面と接する前記折罫線と反対側の端部が、糊付け部用折曲線で区切られて糊付け部となり、前記内側上蓋片は、前記側面と接する前記折罫線と反対側の端部が、差込片用折曲線で区切られて差込片となり、前記内側上蓋片は前記差込片以外の部分が、前記外側上蓋片の前記糊付け部に糊付けされて前記筒体上方の前記開口端部を閉鎖するものであり、
前記内側上蓋片が設けられた前記側面には、前記内側上蓋片が設けられた端部を分離する開封用破断線が設けられ、開封時には前記開封用破断線が分離されて、前記内側上蓋片が前記外側上蓋片に糊付けされた状態で開封され、
再封する際は、前記外側上蓋片を前記糊付け部用折曲線で外側に折り曲げ、前記糊付け部用折曲線をヒンジとして前記内側上蓋片を回転させて表面と裏面を逆にして、前記差込片を前記開封用破断線で分離した前記側面の端部に対向させ、前記差込片を前記側面の裏面に差し込んで再封することを特徴とする包装用箱。
【請求項２】
前記開封用破断線は、前記内側上蓋片が設けられた端部から離れる方向に膨出して形成されている請求項１記載の包装用箱。
【請求項３】
前記開封用破断線と前記側面の端部で囲まれた部分は、前記包装用箱を開封及び再封する際に保持する摘み部となる請求項１記載の包装用箱。
【発明の詳細な説明】
【技術分野】
【０００１】
この発明は、商品などを収容し両端開口部を糊付けして封止するシールエンドカートン型の包装用箱に関する。
【背景技術】
【０００２】
従来、商品を収容して搬送し、店頭に陳列するための包装用箱として、一枚のブランクシートから一体的に打ち抜かれた箱体形成片を立体に組み立てたものがある。この様な包装用箱には、箱体の開口部を、外蓋片と内蓋片を糊付けして閉鎖するシールエンドカートン型があり、シールエンドカートン型の包装用箱において、開封した後にも再封可能にする機能が設けられたものがある。
【０００３】
例えば、特許文献１に開示されている包装用箱は、正面板、第一側面板、背面板、及び第二側面板を有している。正面板と背面板の一方には、連接方向と平行な縦縁に外蓋片を有し、他方に内蓋片を備えている。第二側面板の連接方向の端部には、組み立て状態で正面板の裏面に対面して固定される裏面板を有している。正面板には、連接方向と平行な一方の端縁から連続する一対の破断線と折罫線で囲まれた開封部と、開封部を形成する破断線の先端部間に形成された開封用の透孔を備えている。透孔と対面する裏面板には、透孔を覆うと共に正面板の外側から押圧されると内側に抜け出る押圧吸収部を備えるものである。
【先行技術文献】
【特許文献】
【０００４】
【特許文献１】特開２０１３−２２７０３６号公報
【発明の概要】
【発明が解決しようとする課題】
【０００５】
上記背景技術の特許文献１の場合、正面板の裏面に重ねて糊付けする裏面板が必要であり、裏面板は正面板とほぼ同じ大きさであるため、箱体形成片が大形になり、コストが掛かる。また、ブランクシートから打ち抜く枚数が少なくなり、歩留まりが良くないものである。
【０００６】
この発明は、上記背景技術の問題点に鑑みてなされたものであり、簡単な構造で簡単な組立方法で作られ、比較的小さい紙面積の箱体形成片で大きい差込片と摘み部を設け、再封と開封を容易に行うことができ、再封した時は確実に封止される包装用箱を提供することを目的とする。
【課題を解決するための手段】
【０００７】
本発明は、一枚の箱体形成片から成り、筒体に組み立てられた側面と、前記側面の１つに折罫線で区切られて設けられ前記筒体上方の開口端部を閉鎖する外側上蓋片と、前記外側上蓋片が設けられた前記側面と平行に位置する側面に折罫線で区切られて設けられ前記外側上蓋片の裏面に重ねられる内側上蓋片が設けられている包装用箱である。前記外側上蓋片は、前記側面と接する前記折罫線と反対側の端部が、糊付け部用折曲線で区切られて糊付け部となり、前記内側上蓋片は、前記側面と接する前記折罫線と反対側の端部が、差込片用折曲線で区切られて差込片となる。前記内側上蓋片は前記差込片以外の部分が、前記外側上蓋片の前記糊付け部に糊付けされて前記筒体上方の前記開口端部を閉鎖するものである。前記内側上蓋片が設けられた前記側面には、前記内側上蓋片が設けられた端部を分離する開封用破断線が設けられ、開封時には前記開封用破断線が分離されて、前記内側上蓋片が前記外側上蓋片に糊付けされた状態で開封される。再封する際は、前記外側上蓋片を前記糊付け部用折曲線で外側に折り曲げ、前記糊付け部用折曲線をヒンジとして前記内側上蓋片を回転させて表面と裏面を逆にして、前記差込片を前記開封用破断線で分離した前記側面の端部に対向させ、前記差込片を前記側面の裏面に差し込んで再封する。
【０００８】
また、前記開封用破断線は、前記内側上蓋片が設けられた端部から離れる方向に膨出するコの字形等に形成されている。前記開封用破断線と前記側面の端部で囲まれた矩形の部分は、前記包装用箱を開封及び再封する際に保持する摘み部となる。
【発明の効果】
【０００９】
本発明の包装用箱は、簡単な構造で簡単な組立方法で作られ、比較的小さい紙面積の箱体形成片で大きい差込片と摘み部を設け、再封と開封を容易に行うことができ、再封した時は確実に封止することができる。箱体形成片の紙面積と、組立方法は、従来の再封機能がないシンプルなシールエンドカートン型の包装用箱と同じであり、既存の包装機械で包装が可能である。また、差込片の面積が大きく設けられているため、再封した時は確実に封止することができる。しかも、摘み部の面積も大きく、再封と開封の操作の際に摘み部を容易に保持して簡単に操作することができる。
【図面の簡単な説明】
【００１０】
【図１】この発明の一実施形態の包装用箱の開封した状態を示す斜視図（ａ）と、再封する工程を示す斜視図（ｂ）である。
【図２】この実施形態の包装用箱の再封した状態を示す斜視図である。
【図３】この実施形態の包装用箱の斜視図である。
【図４】この実施形態の包装用箱の展開図である。
【図５】この実施形態の包装用箱の変形例を示す展開図である。
【発明を実施するための形態】
【００１１】
以下、この発明の実施形態について図面に基づいて説明する。図１〜図４はこの発明の一実施形態を示すもので、この実施形態の包装用箱１０は、紙製等の一枚のブランクシートを打ち抜いて形成された箱体形成片１２を組み立てて設けられている。
【００１２】
図４は、箱体形成片１２を表面から見た展開図であり、箱体形成片１２は、側面１４，１６，１８，２０は、連接方向と直交する幅方向の長さは同じ長さであり、それと直交する連接方向の長さは、側面１４，１８が長くて互いに等しく、側面１６，２０が少し短くて互いにほぼ等しい。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１３】
側面１４の、側面同士の連接方向に対して直角な方向の一端部には、矩形の外側上蓋片３２が折罫線３４で区切られて設けられている。外側上蓋片３２は、包装用箱１０の組立状態で、側面１４，１６，１８，２０を組み立てて形成される筒体の端部の開口部とほぼ同じ大きさである。外側上蓋片３２には、折罫線３４と反対側の端部３２ａに近い位置に、折罫線３４に対して略平行な糊付け部用折曲線３６が設けられている。糊付け部用折曲線３６と端部３２ａの間の部分は、後述する内側上蓋片５０に糊付けされる糊付け部３７となる。側面１４の、折罫線３４と反対側の端部には、外側上蓋片３２と同形状の外側底蓋片３８が折罫線４０で区切られて設けられている。
【００１４】
側面１６の、側面１４の折罫線３４に隣接する端部には、変形した台形状のフラップ４２が折罫線４４で区切られて設けられている。側面１６の、折罫線４４と反対側の端部には、台形状のフラップ４６が折罫線４８で区切られて設けられている。
【００１５】
側面１８の、側面１６の折罫線４４に隣接する端部には、外側上蓋片３２よりも小さい矩形の内側上蓋片５０が折罫線５２で区切られて設けられている。内側上蓋片５０には、折罫線５２と反対側の端部５０ａに近い位置に、折罫線５２に対して略平行な差込片用折曲線５４が設けられている。差込片用折曲線５４と端部５０ａの間の部分は、差込片５６である。
【００１６】
側面１８には、折罫線５２近傍に開封用破断線５８が設けられている。開封用破断線５８は、折罫線５２から離れる方向に膨出するコの字形で形成され、開封用破断線５８の両端部は、折罫線５２に達し、さらに折罫線５２に沿って互いに離れる方に延出している。開封用破断線５８と折罫線５２で囲まれた矩形の部分は、包装用箱１０を開封したり再封したりする際に保持する摘み部６０となる。
【００１７】
側面１８の、折罫線５２と反対側の端部には、外側底蓋片３８より小さい矩形の内側底蓋片６２が折罫線６４で区切られて設けられている。側面１８には、折罫線６４近傍に廃棄用破断線６６が設けられている。廃棄用破断線６６は、折罫線６４から離れる方向に膨出する円弧で形成されている。
【００１８】
側面２０の、側面１８の折罫線５２に隣接する端部には、変形した台形状のフラップ６８が折罫線７０で区切られて設けられている。側面２０の、折罫線７０と反対側の端部には、台形状のフラップ７２が折罫線７４で区切られて設けられている。
【００１９】
次に、この実施形態の包装用箱１０の組立方法の一例について説明する。ここでは、図４が箱体形成片１２の表面から見た展開図であり、箱体形成片１２の表面が凸になる折り方を正折り、そして裏面が凸になる折り方を逆折りと称する。
【００２０】
まず糊付片２２の表面に糊７６を塗布し、折罫線２６を正折りする。さらに折罫線３０を正折りし、糊付片２２の表面は糊７６により側面２０の裏面に糊付けされる。
【００２１】
次に、収容物を収容し包装する工場において、折罫線２４，２６，２８，３０を各々９０°に正折りして四角形の筒体にする。そして、フラップ４６，７２を折罫線４８，７４で９０°に正折りし、次に内側底蓋片６２を折罫線６４で９０°に正折りする。内側底蓋片６２の表面に糊７８を塗布し、外側底蓋片３８を折罫線４０で９０°に正折りし、内側底蓋片６２の表面は糊７８により外側底蓋片３８の裏面に糊付けされる。これにより箱体の底面が完成する。この状態で図示しない収容物を中に入れる。
【００２２】
そして、フラップ４２，６８を折罫線４４，７０で各々９０°に正折りし、内側上蓋片５０を折罫線５２で９０°に正折りする。外側上蓋片３２の裏面で、糊付け部用折曲線３６と端部３２ａの間の糊付け部３７に糊８０を塗布し、外側上蓋片３２を折罫線３４で９０°に正折りし、内側上蓋片５０の表面は糊８０により外側上蓋片３２の裏面に糊付けされる。これにより、図３に示すように包装が完了する。
【００２３】
包装用箱１０から収容物を取り出す時は、側面１８の開封用破断線５８の内側を押して開封用破断線５８を切断し、側面１８から摘み部６０を分割する。分割された摘み部６０を保持して側面１８から引き起こし、さらに開封用破断線５８の両端部を切断して、側面１８と内側上蓋片５０を分離し、図１（ａ）に示すように包装用箱１０を開封する。そしてフラップ４２，６８を開いて開口させて収容物を取り出す。
【００２４】
収容物の一部を使用して残りを包装用箱１０に入れて再封する時は、図１（ｂ）に示すように、外側上蓋片３２の糊付け部用折曲線３６を逆折りし、これにより外側上蓋片３２の糊付け部３７に糊付けされている内側上蓋片５０は、糊付け部用折曲線３６を中心に回転し、端部５０ａ側が外側上蓋片３２の裏面から離れる。さらに糊付け部用折曲線３６を中心に約１８０°回転させると内側上蓋片５０の表面と裏面が逆になり、差込片５６を側面１８の開封用破断線５８で分離した端部に対向させる。端部５０ａの反対側の摘み部６０は、外側上蓋片３２の端部３２ａから突出しており、糊付け部用折曲線３６を中心に約１８０°回転させると、外側上蓋片３２の表面に重ねられて先端が外側上蓋片３２の折罫線３４から側面１４の側方に突出する。
【００２５】
そして、内側上蓋片５０の差込片５６を差込片用折曲線５４で略９０°に逆折りする。摘み部６０を保持して外側上蓋片３２を折罫線３４で９０°に正折りし、差込片５６を、側面１８の摘み部６０が分割された端部から側面１８の裏面に差し込んで係止する。これにより図２に示すように、包装用箱１０の開口は、外側上蓋片３２の、糊付け部用折曲線３６と折罫線３４の間の部分と、表面と裏面が逆になった内側上蓋片５０の、差込片用折曲線５４近傍の糊付け部３７に糊付けされていない部分で覆され、包装用箱１０は再封される。
【００２６】
包装用箱１０が再封された時、摘み部６０は側面１４から側方に突出する。包装用箱１０を再び開封する際は、摘み部６０を保持して引き上げる、または差込片５６を押しながら上方に引き上げ、外側上蓋片３２と内側上蓋片５０を開封する。
【００２７】
使用後に、包装用箱１０を廃棄する時は、側面１８の廃棄用破断線６６を切断して、筒体の側面を平坦に折り畳む。
【００２８】
この実施形態の包装用箱１０によれば、簡単な組立方法で作られ、比較的小さい紙面積の箱体形成片１２で、大きい差込片５６と摘み部６０を設け、再封と開封を容易に行うことができる。箱体形成片１２の紙面積と、組立方法は、再封機能がないシンプルなシールエンドカートン型の包装用箱と同じであり、既存の包装機械で包装が可能である。さらに、シンプルな形状であり、収容物が引っ掛かる等のトラブルが少なく、作業効率が良い。その他、差込片５６により、再封の操作が容易であり、再封した時は確実に封止することができる。摘み部６０の面積が大きく設けられているため、再封と開封の操作の際に摘み部６０を容易に保持して簡単に操作することができる。
【００２９】
なお、この実施形態の包装用箱１０は、外側上蓋片３２の糊付け部３７の形状を変更してよい。例えば図５に示す包装用箱１１の箱体形成片１３は、外側上蓋片３２の糊付け部用折曲線３６の中央部分は、折罫線３４に向かって僅かにコの字形に突出して設けられ、コの字形の部分は、紙面の厚み方向に貫通する切断線３９で設けられている。糊付け部３７の中央部分は、端部３２ａと切断線３９の間隔が広くなる。これにより包装用箱１１は、糊付け部３７の面積が広く、糊８０を塗布しやすいものであり、また内側上蓋片５０との接着強度を高めることができる。再封する時は、切断線３９の両端部に位置する糊付け部用折曲線３６を逆折りして内側上蓋片５０を回転させるため、内側上蓋片５０の位置が上記実施形態の包装用箱１０と変わらず、確実に包装用箱１１の開口を再封することができる。
【００３０】
なお、この発明の包装用箱は、前記実施の形態に限定されるものではなく、箱体の大きさ、素材、各部材の形状等は適宜変更可能である。底部の形状は、シールエンドカートン型以外でも良い。その他、内側上蓋片の裏面に、開封案内が印刷により付されたものでもよく、内側上蓋片の裏面を外側にして再封した時に開封済みであることが視認されるものでもよい。各折罫線は、折り易くするために、部分的に切断線が設けられてもよい。
【符号の説明】
【００３１】
１０，１１  包装用箱
１２，１３  箱体形成片
１４，１６，１８，２０  側面
３２  外側上蓋片
３２ａ，５０ａ  端部
３４，５２  折罫線
３６  糊付け部用折曲線
３７  糊付け部
５０  内側上蓋片
５４  差込片用折曲線
５６  差込片
５８  開封用破断線
６０  摘み部
【図１】
2019006473.tif 000003
【図２】
2019006473.tif 000004
【図３】
2019006473.tif 000005
【図４】
2019006473.tif 000006
【図５】
2019006473.tif 000007